(57)【要約】【課題】トイレユニットの構成部品と部屋の仕切り壁とを共有した構造として構成部品の無駄を省き、工期の短縮化と労務の省力化を行うことが可能なトイレユニットを提供する。【解決手段】トイレユニットは、床板パネルから立設された複数の壁板パネルが連結状態で組み付けられ、組み付けられた壁板パネル上に天板パネルが組み付けられることによりトイレ用空間を形成する。壁板パネルのパネル枠体の厚さを、建物の部屋を仕切る仕切り壁の壁枠体の厚さとすることにより、壁板パネルを仕切り壁として、更に別の仕切り壁を連結することができる。【選択図】図５
2016075123.tif 000002
【特許請求の範囲】
【請求項１】
床板パネルから立設された複数の壁板パネルが連結状態で組み付けられ、組み付けられた壁板パネル上に天板パネルが組み付けられることによりトイレ用空間を形成するトイレユニットであって、
前記複数の壁板パネルの少なくとも１枚の第１壁板パネルは、建物の部屋間を仕切る仕切り壁の壁枠体の厚さとほぼ同一の厚さの第１パネル枠体と、
第１パネル枠体のトイレ用空間側の内側面の全面に貼り付けられる内側化粧板とからなり、
第１パネル枠体の外側面が外側化粧板で覆われる第１壁板パネルが仕切り壁を構成することを特徴とするトイレユニット。
【請求項２】
第１壁板パネルは、前記建物外で第１パネル枠体に内側化粧板が固定され、前記建物内の床面に固定される床板パネルに第１パネル枠体が立設されることを特徴とする請求項１に記載のトイレユニット。
【請求項３】
第１壁板パネルに隣り合う仕切り壁の壁枠体は、床板パネルに鉛直方向に起立するように立設された第１パネル枠体を基準として鉛直方向に起立するように、第１パネル枠体に連結されることを特徴とする請求項２に記載のトイレユニット。
【請求項４】
前記複数の壁板パネルの少なくとも１枚の第２壁板パネルは、第１パネル枠体と同一の厚さの第２パネル枠体と、
第２パネル枠体のトイレ用空間側の内側面の全面に貼り付けられる内側化粧板とからなり、
第２壁板パネルが前記トイレ用空間内に設けられる物品を収納するキャビネットの棚板を支持する側板を構成することを特徴とする請求項１に記載のトイレユニット。
【発明の詳細な説明】
【技術分野】
【０００１】
本発明は建物内に設置されるトイレユニットに関し、特に構成部品を工場で製造して建物内に搬送し、現場で構成部品を組み立てることにより簡単に施工することができるトイレユニットに関する。
【背景技術】
【０００２】
作業効率の向上や工期の短縮化のため、構成部品を工場で製造して現場に搬送し、現場で構成部品を組み立ててトイレとすることが一般になされており、そのためのトイレユニットの開発が行われている。特許文献１には、このような組み立て式のトイレユニットが開示されている。
【０００３】
図１９及び図２０は特許文献１に記載された従来のトイレユニット１００を示す。トイレユニット１００は、基礎工事を行った基礎面１０１上に樹脂製のユニット板１０２を敷き詰めて方形状の床面１０３を形成し、この床面１０３の４辺に対して複数（４枚）の壁板パネル１０４、１０５、１０６、１０７を垂直状に立設して組み立て、組み立てた壁板パネル１０４〜１０７の上に天板パネル１０８を組み付けてトイレ用空間１１０を形成している。ここで、正面側の壁板パネル１０４には、ドア１１２が取り付けられる。このようなトイレユニット１００は、他の部屋から独立した状態となって建物内に設けられる。
【先行技術文献】
【特許文献】
【０００４】
【特許文献１】特開平１１-３２４３６２号公報
【発明の概要】
【発明が解決しようとする課題】
【０００５】
従来のトイレユニット１００は、他の部屋から独立しているため、隣接する部屋の仕切り壁に対し、その内側に、トレイユニットの壁板パネルが重なるようにしてトイレユニット１００の組み立てを行う必要がある。同様にトイレユニット１００を施工した後に、部屋の増設を行う場合には、その部屋の仕切り壁をトイレユニット１００の壁板パネルに重ねて形成する必要がある。
このようなことは建物の構成部品の無駄であるばかりでなく、部屋及びトイレユニットのそれぞれの施工に時間を要し、工期の短縮化の限界となっている。
【０００６】
本発明は、このような従来の問題点を考慮してなされたものであり、トイレユニットの構成部品と部屋の構成部品とを共有した構造とすることにより、構成部品を削減して無駄を省き、工期の短縮化と労務の省力化を行うことが可能なトイレユニットを提供することを目的とする。
【課題を解決するための手段】
【０００７】
上述の目的を達成するため、請求項１のユニットトイレは、床板パネルから立設された複数の壁板パネルが連結状態で組み付けられ、組み付けられた壁板パネル上に天板パネルが組み付けられることによりトイレ用空間を形成するトイレユニットであって、
前記複数の壁板パネルの少なくとも１枚の第１壁板パネルは、建物の部屋間を仕切る仕切り壁の壁枠体の厚さとほぼ同一の厚さの第１パネル枠体と，第１パネル枠体のトイレ用空間側の内側面の全面に貼り付けられる内側化粧板とからなり、第１パネル枠体の外側面が外側化粧板で覆われる第１壁板パネルが仕切り壁を構成することを特徴とする。
【０００８】
床板パネルから複数の壁板パネルを立設する。このとき隣接する壁板パネルを相互に連結して組み付け、この組み付けられた壁板パネル上に天板パネルを組み付けることによりトイレユニットが現場（建物内）で施工される。少なくとも１枚の第１壁板パネルの第１パネル枠体は、建物の部屋間を仕切る仕切り壁の壁枠体の厚さであるので、その外側面が外側化粧板で覆われることにより、仕切り壁を構成する。
【０００９】
請求項２のトイレユニットは、前記第１壁板パネルが、前記建物外で第１パネル枠体に内側化粧板が固定され、前記建物内の床面に固定される床板パネルに第１パネル枠体が立設されることを特徴とする。
【００１０】
建物内で第１パネル枠体に内側化粧板を貼り付けることなく、トイレ用空間を形成する第１壁板パネルが得られる。
【００１１】
第１パネル枠体の外側面は外側化粧板により覆われていないので、第１パネル枠体を床板パネルに容易に立設することができる。
【００１２】
請求項３のトイレユニットは、第１壁板パネルに隣り合う仕切り壁の壁枠体が、床板パネルに鉛直方向に起立するように立設された前記第１パネル枠体を基準として鉛直方向に起立するように、第１パネル枠体に連結されることを特徴とする。
【００１３】
鉛直方向に起立する第１パネル枠体を基準に、隣り合う仕切り壁の壁枠体を第１パネル枠体に連結するので、壁枠体を簡単に鉛直方向に起立させることができる。
【００１４】
請求項４のトイレユニットは、複数の壁板パネルの少なくとも１枚の第２壁板パネルが、第１パネル枠体と同一の厚さの第２パネル枠体と、第２パネル枠体のトイレ用空間側の内側面の全面に貼り付けられる内側化粧板とからなり、
第２壁板パネルが、トイレ用空間内に設けられる物品を収納するキャビネットの棚板を支持する側板を構成することを特徴とする。
【００１５】
キャビネットの側板を構成する第２壁板パネルの第２パネル枠体は、仕切り壁を構成する第１壁板パネルの第１パネル枠体と同一の厚さであるので、第１パネル枠体と同様の工程で第２パネル枠体を製造できる。
【００１６】
第２パネル枠体の内側面の全面に内側化粧板が貼り付けられるので、第２パネル枠体の内側面をトイレ用空間内に設けられるキャビネットの内側面に露出させて、第２壁板パネルをキャビネットの棚板を支持する側板とすることができる。
【発明の効果】
【００１７】
請求項１の発明によれば、床板パネル、壁板パネル及び天板パネルを組み付けることによりトイレ用空間、すなわちトイレユニットが形成されると共に、少なくとも１枚の壁板パネルは、建物の部屋間を仕切る仕切り壁として用いられる。従って、構成部材の共有化ができ、建物の構成部材を削減でき、無駄をなくすことができる。又、トイレユニットの設置部分では、別に仕切り壁を形成する必要がなく、工期を短縮化することができる。
【００１８】
請求項２の発明によれば、建物内でパネル枠体に内側化粧板を貼り付ける工程が不要となり、容易にパネル枠体を床板パネルに立設し、仕切り壁を構成する壁板パネルとすることができる。
【００１９】
請求項３の発明によれば、建物の床面に対して仕切り壁を鉛直方向に起立させるように調整する調整工程が不要となり、鉛直方向に起立するパネル枠体を基準として隣り合う仕切り壁を鉛直方向に沿って起立させることができる。
【００２０】
請求項４の発明によれば、第２壁板パネルが、トイレ用空間内で、キャビネットの棚板を支持する側板となる。このため、トイレ用空間を形成する第２壁板パネルは、キャビネットの側板として兼用され、構成部品の共有化ができる。
【００２１】
また、トイレ用空間内を形成する第２壁板パネルの内側に重ねてキャビネットの側板を形成しないので、対向する側板間の間隔で定まるキャビネット内の空間を広げることができる。
【図面の簡単な説明】
【００２２】
【図１】天板パネル４を除いて示す本発明の一実施の形態のトイレユニット１の平面図である。
【図２】トイレユニット１をトイレ用空間５内の右側から見た側面図である。
【図３】トイレユニット１をトイレ用空間５内の正面側から見た正面図である。
【図４】トイレユニット１をトイレ用空間５内の左側から見た側面図である。
【図５】トイレユニット１と建物の部屋間を仕切る仕切り壁２３との連結構造を示す平面図である。
【図６】第２パネル３２と仕切り壁２３との連結部分を示す断面図である。
【図７】図２に示すトイレユニット１に仕切り壁２３を連結した状態を示す側面図である。
【図８】床板パネル２に第１パネル３１、第２パネル３２を組み付ける状態を示す分解斜視図である。
【図９】床板パネル２の平面図である。
【図１０】床板パネル２に８枚の壁板パネル３１乃至３８を起立支持した状態を示す平面図である。
【図１１】天板パネル４の平面図である。
【図１２】第１左壁板パネル３１の（ａ）は、平面図、（ｂ）は、トイレユニット１の外側からみた外側面図である。
【図１３】第１左壁板パネル３２の（ａ）は、平面図、（ｂ）は、トイレユニット１の外側からみた外側面図、（ｃ）は、トイレ用空間５内の内側からみた内側面図である。
【図１４】第１奥壁板パネル３３の（ａ）は、平面図、（ｂ）は、トイレユニット１の外側からみた外側面図である。
【図１５】キャビネットパネル３４の（ａ）は、平面図、（ｂ）は、トイレユニット１の外側からみた外側面図、（ｃ）は、トイレ用空間５内の内側からみた内側面図である。
【図１６】床板パネル２に壁板パネル３を組み付ける状態を示す要部拡大断面図である。
【図１７】隣接する壁板パネル３、３間を組み付ける状態を示す横断面図である。
【図１８】壁板パネル３に天板パネル４を組み付ける状態を示す縦断面図である。
【図１９】従来のトイレユニット１００を示す正面からの斜視図である。
【図２０】従来のトイレユニット１００の平面図である。
【発明を実施するための形態】
【００２３】
図１乃至図１８は、本発明の一実施の形態に係るトイレユニット１を示す。図１乃至図４に示すように、この実施の形態のトイレユニット１は、床板パネル２と、８枚の壁板パネル３と、天板パネル４とを備えており、これらのパネル２、３、４を組み付けることによりその内側にトイレ用空間５が形成される。トイレ用空間５内には、水タンクを備えた便器６、ペーパーホルダ７、トイレットペーパーやタオル、洗浄器具や洗剤ボトル等の物品を収納するキャビネット８等が設けられる。トイレ用空間５の正面側（図１において左方）は、正面側に立設される壁板パネル３（正面壁板パネル３８）を細長とすることにより、ドアを開閉自在に取り付けるためのドア用開口部９が形成される。
【００２４】
床板パネル２は、図８に示すように、パイプスペースを避ける為に平面から見て一部が切り欠かれた方形状に形成され、建物の床面に沿ってトイレユニット１の設置位置に固定される床板本体１１と、床板本体１１のドア用開口部９を除く外周部に設けられた支持桟１２とによって形成されている。床板本体１１は複数のベニヤが重ねられ、最上部に樹脂シートが接着されることにより形成される。支持桟１２には角材が用いられており、この支持桟１２に沿って８枚の壁板パネル３が垂直方向に立設される。  
【００２５】
天板パネル４は、図１１に示すように、平面から見て床板パネル２と同形同大に形成されている。天板パネル４は、角材を前後及び左右方向に組み付けた枠桟１６と、枠桟１６におけるトイレ用空間５側の内頂面の全面に貼り付けられた化粧板１７とによって形成されている。化粧板１７には換気ダクトが接続される換気ダクト用開口１８及び照明ランプが設けられるランプ用開口１９が形成されている。
【００２６】
支持桟１２に沿って立設される８枚の壁板パネル３は、図１及び図１０に示すように、第１左壁板パネル３１（図１２、以下第１パネル３１）、第２左壁板パネル３２（図１３、以下第２パネル３２）、第１奥壁板パネル３３（図１４、以下第３パネル３３）、キャビネットパネル３４（図１５、以下第４パネル３４）、第２奥壁板パネル３５（以下第５パネル３５）、第１右壁板パネル３６（以下第６パネル３６）、第２右壁板パネル３７（以下第７パネル３７）、正面壁板パネル３８（以下第８パネル３８）とからなっている。
【００２７】
第１パネル３１乃至第８パネル３８は、いずれも同じ高さを有した縦長矩形状に形成されている。又、第１パネル３１乃至第８パネル３８の幅は使用部位によって異なっているが、基本構造は共通している。すなわち、いずれのパネル３１乃至３８も角材からなる芯材１３を縦横方向に組み付けたパネル枠体１４と、このパネル枠体１４におけるトイレ用空間５側の内側面の全面に貼り付けられた化粧板１５とによって形成される（図８参照）。角材からなる芯材１３で形成されるパネル枠体１４の厚さは、建物の部屋間を仕切る仕切り壁２３、２４の壁枠体２３ａ、２４ａと同じ厚さで、ここでは４０ｍｍとなっている。これにより、壁板パネル３のいずれかを仕切り壁として兼用することができ、後述するように、仕切り壁を構成する壁板パネル３に仕切り壁２３、２４を連結させた場合に、壁板パネル３のパネル枠体１４に、仕切り壁２３、２４の壁枠体２３ａ、２４ａを同一外側面で連続させることができる。
【００２８】
図１に示すように、８枚の壁板パネル３のうち第４パネル３４は、パイプスペースを避けてトイレ用空間を形成する為に第３パネル３３から直角に内側に配置され、これにより第２パネル３２の奥側と左右方向でその内側面が対向する。本実施の形態では、この第２パネル３２と第３パネル３３と第４パネル３４とで囲われる空間を利用して、物品を格納するキャビネット８が形成している。
【００２９】
すなわち、第３パネル３３をキャビネット８の奥板とするとともに、左右方向で化粧板１５が貼り付けられた内側面が対向する第２パネル３２と第４パネル３４を、それぞれキャビネット８の左側板と右側板として、その間にトイレットペーパーなどの物品を載置する複数段の棚板２８を掛け渡す。図１３、１５に示すように、第２パネル３２と第４パネル３４の化粧板１５には、それぞれ図示しない棚ダボを挿通可能な調整孔２９が上下方向の多数の位置に穿設され、所望の高さの調整孔２９に棚ダボを差し込んで棚板２８を支持している。
【００３０】
第２パネル３２及び第４パネル３４の化粧板１５における調整孔２９の形成部位に対応した部位には、ハッチングで示す補強板３０が重ねて貼り付けられる。補強板３０はベニヤ等が使用され、パネル３２、３４の芯材１３で囲われる領域の全面に外側面側から貼り付けられる。これにより、物品を載置した棚板２８からの荷重を受ける化粧板１５が補強される。
【００３１】
以上の補強板３０による補強構造は、キャビネット８以外のトイレ用空間５内で付属部品を設ける場合にも同様に適用する。すなわち第１パネル３１及び第２パネル３２に対しては、図１２及び図１３に示すように芯材１３におけるハッチングで示す位置にベニヤからなる補強板４１を取り付けることにより手摺りを支持している。
【００３２】
それぞれのパネル枠体１４を構成する芯材１３の内、下端に沿って配置される芯材１３は、図１６に示すように、床板パネル２の支持桟１２にビス、ボルト、釘等の連結具２０によって連結され、パネル枠体１４が鉛直方向に沿って起立支持される。この作業工程では、パネル枠体１４の開口する外側面側が解放されているので、開口する外側面側から連結具２０で芯材１３と支持桟１２間を連結させる作業を行うことができる。
【００３３】
パネル枠体１４の内側面に化粧板１５を貼り付けたパネル３２、３７は、建物の隣り合う部屋ＲＭ１、ＲＭ２を仕切る仕切り壁を兼ねるもので、図５に示すように仕切り壁を構成するパネル３２、３７は、これらのパネル３２、３７にそれぞれ連結される仕切り壁２３、２４を鉛直方向に沿って起立させる基準となっている。そのため、パネル枠体１４自体を床板パネル２の支持桟１２に対して鉛直方向に起立させる必要があり、建物の基礎工事を行った床面ＦＦが傾斜し、床面ＦＦに沿って固定される床板パネル２の支持桟１２の平面も傾斜している場合には、パネル枠体１４の芯材１３との接合面の間に樹脂などによるスペーサ２５を介在させ、パネル枠体１４が鉛直方向に沿って起立支持している。
【００３４】
しかしながら、例えば、傾斜する床面ＦＦと床板パネル２の床板本体１１との間にスペーサを介在させて、床板本体１１の支持桟１２の平面を水平面として、支持桟１２の平面上に底面を水平面としたパネル枠体１４の芯材１３を重ね、連結具２０で両者を固定することもできる。
【００３５】
床板パネル２の支持桟１２に起立支持された第１パネル３１乃至第８パネル３８の隣り合うパネル３１乃至３８間は、図１７に示すように、隣接するパネル３１乃至３８の芯材１３、１３間を挿通させるビス、ボルト、釘等の連結具２０によって互いに連結され、更に、各パネル枠体１４の上端に沿った芯材１３は、図１８に示すように、天板パネル４の外周側に位置する枠桟１６に化粧板１７を介してビス、ボルト、釘等の連結具２０によって連結される。これにより、第１パネル３１乃至第８パネル３８は、強固に一体化され、鉛直方向に起立した状態で床板パネル２上に支持される。
【００３６】
次に、この実施の形態のトイレユニット１の組み立てについて説明する。上述した８枚の壁板パネル３（第１パネル３１乃至第８パネル３８）、は、いずれもパネル枠体１４に化粧板１５が貼り付けられた状態で、それぞれ工場などで画一的に量産され、８枚を一組として床板パネル２及び天板パネル４とともに、トイレユニット１を設置する建物内で組み立てられる。
【００３７】
始めに床板パネル２の床板本体１１を、建物のトイレユニット１を設置する床面ＦＦ上に接着剤などで固着し、床面ＦＦに固定した床板パネル２に対して、図８、図１０に示すように、化粧板１５が貼り付けられた内側面側がトイレ用空間５を囲うように面８枚の壁板パネル３（パネル３１乃至３８）を、床板パネル２の支持桟１２に沿って鉛直方向に組み付ける。
【００３８】
図１６は、壁板パネル３を床板パネル２に組み付ける状態を示し、スペーサ２５を介在させて壁板パネル３が垂直状に立ち上がるように調整しながら、壁板パネル３の下端側の芯材１３を床板パネル２の支持桟１２上に載置し、芯材１３と支持桟１２を連結具２０によってこれらを連結する。続いて、隣り合う壁板パネル３間で接する芯材１３間を図８、図１７に示すように連結具２０によって連結する。
【００３９】
第１パネル３１乃至第８パネル３８が互いに連結されると、床板パネル２に全ての壁板パネル３が立設状態で組み立てられ、その工程でキャビネット８の奥板と左右の側板も組み立てられることとなる。
【００４０】
その後、起立支持された第１パネル３１乃至第８パネル３８の上端部分に天板パネル４が組み付けられる。図１８は、壁板パネル３に対する天板パネル２の組み付けを示し、壁板パネル３の上端側の芯材１３上に天板パネル４の外周側の枠桟１６が載置され、この状態でこれらが連結具２０によって連結される。全て第１パネル３１乃至第８パネル３８の上端に天板パネル４を組み付けることによってトイレ用空間５が形成される。その後、ドア用開口部９に対してドア（図示省略）を組み付けてトイレユニット１とする。
【００４１】
このトイレユニット１の設置工程においては、壁板パネル３の外側面側は開口し、部屋の内装となる図５、図６、図１６乃至図１８に符号４０で図示する化粧壁４０はまだ貼り付けられていない。図５に示すように、８枚の第１パネル３１乃至第８パネル３８のうち、第１パネル３１、第２パネル３２、第３パネル３３、第６パネル３６及び第７パネル３７は、建物の部屋を仕切る仕切り壁を兼ね、隣り合う第１部屋ＲＭ１と第２部屋ＲＭを仕切る仕切り壁２３、２４が、第２パネル３２と第７パネル３７にそれぞれ連続して形成される。
【００４２】
図６に示すように、仕切り壁２３、２４は、パネル枠体１４と同様に、それぞれ角材からなる芯材２７を格子状に組み付けることにより形成される壁枠体２３ａ、２４ａとその一面に貼り付けられる化粧板２６とからなり、化粧板２６が貼り付けられる面を壁板パネル３の化粧板１５と同一面として、芯材１３、２７間を連結具２０を用いて連結し、壁板パネル３に延長して連結される。ここで、パネル枠体１４は、壁枠体２３ａ、２４ａと同一の厚さであり、壁板パネル３の化粧板１５と仕切り壁２３、２４の化粧板２６も同一の厚さとするので、壁板パネル３の外側面と内側面は、同一面で仕切り壁２３、２４の表裏面に連続する。
【００４３】
また、仕切り壁を構成する壁板パネル３は、床面ＦＦの傾斜にかかわらず、鉛直方向に起立するように支持されているので、壁板パネル３を基準として平行に連結される仕切り壁２３、２４は、床面ＦＦに対してその起立方向を調整することなく設置できる。
【００４４】
第２パネル３２と第７パネル３７にそれぞれ仕切り壁２３、２４を連結した後、開口している壁板パネル３の外側面側と、仕切り壁２３、２４の一面にかけて符号４０で示す化粧壁を貼り付ける。化粧壁４０は、部屋の内装の趣向に応じて石膏ボード、漆喰等の任意の材料を用いて形成する。また、隣り合う壁板パネル３の化粧板１５間の境界や仕切り壁２３、２４の化粧板２６との境界は、目地板でその隙間を覆う。
【００４５】
本実施の形態によれば、トイレユニット１の壁板パネル３が部屋ＲＭ１、ＲＭ２を仕切る仕切り壁２３と連結されて仕切り壁２３の一部を構成するため、壁板パネル３をトイレユニット１と隣接する部屋の仕切り壁として用いることができる。従って、部品の共有化ができ、部品の無駄をなくすことができる。又、仕切り壁２３をトイレユニット１の壁板パネル３と重なり合うように施工する必要がなくなるため、工期を短縮化することができる。
【００４６】
なお、トイレ用空間５の周囲を囲う壁板パネル３の数やその形状は、トイレ用空間５の形状に応じて任意に選択することができ、仕切り壁を構成する壁板パネル３はその一部の領域が仕切り壁を構成するものであってもよい。
【００４７】
また、本実施の形態では、壁板パネル３がキャビネット８の一部を構成したが、必ずしもキャビネット８を構成しなくても良く、逆に第１奥壁板パネル３３のように、１枚の壁板パネル３が仕切り壁とキャビネットの一部を構成するものであってもよい。
【００４８】
また、仕切り壁を構成する壁板パネル３に連設する仕切り壁２３、２４の一面に化粧板２６を貼り付けているが、他側の面に貼り付けられる化粧壁４０のような他の他の内装用パネルで覆ってもよい。この場合に内装用パネルの厚さが壁板パネル３のパネル枠体１４と厚みが異なり、壁板パネル３の化粧板１５と内装用パネルが同一面で連続しないこととなるが、内装用パネルを貼り付けた仕切り壁２３、２４と同一厚さとなるように、パネル枠体１４と化粧板１５からなる厚さが、壁枠体２３ａ、２４ａと内装用パネルからなる厚さに等しくなる壁板パネル３を用いてもよい。
【符号の説明】
【００４９】
１  トイレユニット
２  床板パネル
３  壁板パネル
４  天板パネル
５  トイレ用空間
８  キャビネット
１４  パネル枠体
１５  化粧板（内側化粧板）
２３、２４  仕切り壁
２３ａ、２４ａ  壁枠体
４０  化粧壁（外側化粧板）
【図１】
2016075123.tif 000003
【図２】
2016075123.tif 000004
【図３】
2016075123.tif 000005
【図４】
2016075123.tif 000006
【図５】
2016075123.tif 000007
【図６】
2016075123.tif 000008
【図７】
2016075123.tif 000009
【図８】
2016075123.tif 000010
【図９】
2016075123.tif 000011
【図１０】
2016075123.tif 000012
【図１１】
2016075123.tif 000013
【図１２】
2016075123.tif 000014
【図１３】
2016075123.tif 000015
【図１４】
2016075123.tif 000016
【図１５】
2016075123.tif 000017
【図１６】
2016075123.tif 000018
【図１７】
2016075123.tif 000019
【図１８】
2016075123.tif 000020
【図１９】
2016075123.tif 000021
【図２０】
2016075123.tif 000022